(57)【要約】【課題】結束対象物を結束する際の手間を省き、作業能率を飛躍的に向上させる締付バンドを提供する。【解決手段】バンド本体１と、該バンド本体１の一端に設けられ該バンド本体１の他端を挿通する係合孔８が開設されたブロック体２とを備え、バンド本体１に長手方向に沿って複数の列状突起６を設けると共に、ブロック体２の係合孔６内に列状突起６と逆抜け不能に係合する弾性係合部１２を設け、さらにバンド本体１がブロック体２の係合孔６に挿通され該バンド本体１の先端が該係合孔６から所定の長さ突出した状態で該バンド本体１と該ブロック体２の弾性係合部１２が連接部１６により結合され、連接部１６はバンド本体１の先端を引っ張ると切断されるようにした。【選択図】図３
2014046926.tif 000002
【特許請求の範囲】
【請求項１】
バンド本体と、該バンド本体の一端に設けられ該バンド本体の他端を挿通する係合孔が開設されたブロック体とを備え、前記バンド本体に長手方向に沿って複数の列状突起を設けると共に、前記ブロック体の係合孔内に前記列状突起と逆抜け不能に係合する弾性係合部を設けた締付バンドにおいて、
前記バンド本体が前記ブロック体の係合孔に挿通され該バンド本体の先端が該係合孔から所定の長さ突出した状態で該バンド本体と該ブロック体の弾性係合部が連接部により結合され、前記連接部は前記バンド本体の先端を引っ張ると切断されるようになっていることを特徴とする締付バンド。
【発明の詳細な説明】
【技術分野】
【０００１】
本発明は、複数の物を束ねるために用いたり、商品情報等を示したタグ板を商品に取り付けるために用いられる締付バンドに関するものである。
【背景技術】
【０００２】
従来、この種の締付バンドとして、細長状のバンド本体と、バンド本体の一端に設けられ該バンド本体の他端を挿通する係合孔が開設されたブロック体とを備え、バンド本体には長手方向に沿って鋸歯状の複数の列状突起が設けられていると共に、ブロック体の係合孔内には列状突起と逆抜け不能に係合する弾性係合部が設けられたものが使用されている（例えば、特許文献１参照）。
【０００３】
そして、前記締付バンドは、バンド本体の一端をブロック体の係合孔に挿入し、係合孔から出てきたバンド本体の一端を引っ張って使用するが、この時、バンド本体の列状突起がバンド本体の弾性係合部に逆戻り不能に係合し、バンド本体が結束対象物を締め付けて束ねることができるようになっている。
【先行技術文献】
【特許文献】
【０００４】
【特許文献１】特開２００４−３１４９９８号公報
【発明の概要】
【発明が解決しようとする課題】
【０００５】
しかしながら、前記締付バンドは、結束対象物を結束する度ごとに、バンド本体をいちいちブロック体の係合孔に挿通しなければならないという点できわめて面倒な作業を強いられていた。特に、この種の締付バンドは、バンド本体が細く、また、ブロック体の係合孔も小さいことから、そもそもバンド本体をブロック体の係合孔に挿通すること自体が面倒で、結束対象物の数が多い場合には、手間と時間が掛かり、作業能率がきわめて悪いという問題が指摘されていた。
【０００６】
そこで、本発明は上記課題を解決すべく、物を結束する作業において、バンド本体をブロック体の係合孔に挿通するという行為を不要とし、作業能率を向上させる締付バンドを提供することを目的とするものである。
【課題を解決するための手段】
【０００７】
かかる目的を達成するため本発明の締付バンドは、バンド本体と、該バンド本体の一端に設けられ該バンド本体の他端を挿通する係合孔が開設されたブロック体とを備え、前記バンド本体に長手方向に沿って複数の列状突起を設けると共に、前記ブロック体の係合孔内に前記列状突起と逆抜け不能に係合する弾性係合部を設けた締付バンドにおいて、前記バンド本体が前記ブロック体の係合孔に挿通され該バンド本体の先端が該係合孔から所定の長さ突出した状態で該バンド本体と該ブロック体の弾性係合部が連接部により結合され、前記連接部は前記バンド本体の先端を引っ張ると切断されるようになっていることを特徴としている。
【発明の効果】
【０００８】
本発明に係る締付バンドは、予めバンド本体が係合孔に挿通され、その先端が係合孔から所定の長さ突出した状態にある。そのため、結束作業において、いちいちバンド本体の先端部をブロック体の係合孔に挿入しなければならないという面倒な作業を行う必要がない。また、連接部により接続されているバンド本体とブロック体の弾性係合部は、バンド本体の先端を引っ張ると切断されるようになっているので、結束対象物を簡単に結束することができる。すなわち、本願発明によれば、結束対象物を結束する際の作業能率を著しく向上させることができる。
【図面の簡単な説明】
【０００９】
【図１】本発明に係る締付バンドの斜視図。
【図２】本発明に係る締付バンドの平面図。
【図３】（イ）は図２のＸ−Ｘ線拡大断面図、（ロ）は図２のＹ−Ｙ線拡大断面図、（ハ）はブロック体部位の拡大平面断面図。
【図４】蟹の足に取り付ける状態を示す締付バンドの一部断面平面図。
【図５】（イ）は蟹の足に取り付けた状態を示す締付バンドの一部断面平面図、（ロ）は同ブロック体部位の拡大平面断面図。
【図６】本発明に係る締付バンドを取り付けた蟹の斜視図。
【発明を実施するための形態】
【００１０】
以下、本発明に係る締付バンドの実施の形態を図面に基づき説明する。本発明に係る締付バンドは、例えば、複数本の棒状の物を一度に束ねる際に使用したり、あるいは蟹類、海老類、亀甲類や果物などの商品に産地やブランド名といった商品情報を示したタグ板を取り付けるために用いるものである。図１は、本発明に係る締付バンドの斜視図、図２は、本発明に係る締付バンドの平面図である。
【００１１】
締付バンドＡは、例えば、ナイロン、ポリプロピレン、ポリエチレン等の弾力性のある合成樹脂材により成型されており、全体の長さが１７０ｍｍに設定されている。そして、締付バンドＡは、細長状のバンド本体１と、該バンド本体１の一端である基端側に設けられ該バンド本体１の他端である先端が挿通されているブロック体２と、該ブロック体２の上面から上方へ突出させて設けたタグ板３とから概略構成されている。なお、この実施の形態で説明する締付バンド１は、蟹の足に装着して使用するもので、タグ板３には、蟹の産地名Ｍが表示されている。
【００１２】
バンド本体１の先端側、具体的には、最先端部から約１０ｍｍの部分は、指先で摘み易いように扁平な平坦部４ａが形成されていて、さらにその平坦部４ａより奥の約５０ｍｍの部分は、外周面全体が凹凸のない平滑面になっている直線丸棒状の先端側平滑面部４ｂｂとされている。他方、バンド本体１の基端側、具体的には、基端から約４０ｍｍの部分は、同じく外周面全体が平滑面になっている太径の基端側平滑面部５とされている。そして、バンド本体１の先端側平滑面部４ｂと基端側平滑面部５との間には、長手方向に沿って該バンド本体１の中心軸線に対し直交する面における断面積が該バンド本体１の先端側に進むに従い漸次小さくなる円錐体形状の列状突起６が数珠状に多数列設されている。また、各列状突起６の断面積が小さい先端部には短柱状の細径部７が一体に連接され、該細径部７を介して隣り合う列状突起６，６が連なるようになっている。
【００１３】
なお、この実施の形態のタグ板３には蟹の産地名Ｍが表示されている例を示したが、併せて水揚げされた漁港名、水揚げされた日などのデータを記憶したＩＣチップ（図示せず。）を内蔵するようにしても良い。このように、ＩＣチップを用いたならば、仮に、第三者が産地名Ｍを偽装した蟹を市場に混入させたとしても、容易にその偽装を発見することができる。
【００１４】
ブロック体２は、図３に示すように略立方体形状に形成されており、その外周壁の一側（図中下側）にバンド本体１の基端側平滑面部５が一体に設けられ、反対の他側（図中上側）にタグ板３が設けられている。また、基端側平滑面部５とタグ板３とを含んだ面に対し直交する方向に沿って係合孔８が貫設され、該係合孔８は、一方側が引込口１０、他方側が引出口１１となっている。さらに、係合孔８内の引出口１１側には、３つの片から構成された弾性係合部１２が形成されている。なお、この実施の形態では、弾性係合部１２が３つ片によって構成された例を示したが、必ずしも複数の片で構成する必要はなく、また、複数の片で構成する場合でも、片の数は任意に選択可能である。
【００１５】
前記弾性係合部１２は、図３に示すように、引込口１０側が幅広く、引出口１１側が幅狭になっている。具体的には、弾性係合部１２は、内径が引出口１１側に進むに従い漸次小さくなり、先端部が係合孔８の中心軸線Ｏ側によるような略円錐体形状に形成されている。また、弾性係合部１２を構成する各片は、外周面１３ａと内周面１３ｂとの間が所定の厚みをもって形成されている。さらに、弾性係合部１２を構成する片の先端外周面には、前端係合面１４が形成されており、この前端係合面１４は、先端に進むに従い係合孔８の中心軸線Ｏ側に近づく傾斜面になっていて、この傾斜は、中心軸線Ｏに対する外周面１３ａや内周面１３ｂの傾斜角度よりも大きくなっている。
【００１６】
なお、本実施の形態の締付バンドＡは、バンド本体１の先端、すなわち、バンド本体１の先端側平滑面部４ｂが予めブロック体２の係合孔８に入っている状態にあり、先端側平滑面部４ｂの先端が係合孔８の引出口１１から所定の長さ突出している。そのため、バンド本体１がリング状になっている。そして、この状態において、バンド本体１の先端側の一部がブロック体２の内部で結合されている。具体的には、図３（ハ）に示すように、ブロック体２の係合孔８内に位置しているバンド本体１の先端側平滑面部４ｂの一部と弾性係合部１２の各片の先端部分が互いに連接部１６によって結合されている。このように本実施の形態では、バンド本体１の弾性係合部１２の各片の先端部分だけを先端側平滑面部４ｂに結合させているので、バンド本体１を引っ張ることで簡単に連接部１６が切断されるようになっている。なお、本実施の形態では、バンド本体１の先端側平滑面部４ｂと弾性係合部１２のすべての片を結合させた例を示したが、バンド本体１の先端側平滑面部４ｂを弾性係合部１２の一部の片とだけ結合させることも勿論可能である。また、例えば、弾性係合部を片によって構成するのではなく、筒状に形成したような場合、筒状の弾性係合部の先端全体に結合させたり、あるいは、バンド本体１の先端側平滑面部４ｂを筒状の弾性係合部の一部と結合させることも可能である。もっとも、前者の場合、バンド本体１を引っ張った際に連接部が簡単に切断されるように連接部を薄肉にしておくことが好ましい。
【００１７】
ちなみに、本実施形態に係る締付バンドＡは、バンド本体１の先端側平滑面部４ｂが予めブロック体２の係合孔８の引出口１１から所定の長さ突出し、且つバンド本体１の先端側の一部がブロック体２の内部で結合された状態のものを複数の金型を使用して一体に成型している。もっとも、他の方法で形成することも可能である。例えば、バンド本体１の先端側平滑面部４ｂがブロック体２の係合孔８に入っていない状態のものを成型し、後からバンド本体１をブロック体２の係合孔８に挿入し、バンド本体１の先端がブロック体２の係合孔８から適当な長さ突出したところで、バンド本体１の一部とブロック体２内部の弾性係合部１２を接着剤等で結合させるなどの方法が考えられる。
【００１８】
次に上記のように構成された締付バンドＡを蟹の足に使用する場合を例として説明する。例えば、漁港において水揚げされた蟹を仕分けする作業に携わる作業者は、蟹の産地を明らかにするため、蟹の産地名Ｍが表示されたタグ板３を備えた締付バンドＡを図６に示すように蟹の足に装着する。ここで、締付バンドＡは、常態において、ブロック体２の係合孔８にバンド本体１の先端側平滑面部４ｂが挿通されてバンド本体１がリング状になっている。そして、図４に示すように蟹の足Ｆをリング状のバンド本体１に通し、引出口１１から突出している平坦部４ａを摘んで先端側平滑面部４ｂを同図矢印方向へ引き出す。これにより、連接部１６が切断され、図５（イ）（ロ）に示すようにリング状のバンド本体１が縮径されて蟹の足Ｆをきつく締め付けることになる。また、この時、バンド本体１の列状突起６が弾性係合部１２を潜り抜け、列状突起６のいずれかの後端係合面６ａが各弾性係合部１２の前端係合面１４に当接し、バンド本体１が逆抜けしない状態となる。
【００１９】
このように、本発明に係る締付バンドは、予めバンド本体１がブロック体２の係合孔８に入った状態になっていることから、作業者が蟹Ｃの足Ｆをリング状になっているバンド本体１に挿通し、バンド本体１の先端部を引っ張るだけで、蟹Ｃの足Ｆに装着することができる。従って、作業の手間や時間を大幅に軽減することができ、ひいては、作業能率を飛躍的に向上することができる。
【符号の説明】
【００２０】
１              バンド本体
２              ブロック体
６              列状突起
８              係合孔
１２            弾性係合部
１６            連接部
Ａ              締付バンド
【図１】
2014046926.tif 000003
【図２】
2014046926.tif 000004
【図３】
2014046926.tif 000005
【図４】
2014046926.tif 000006
【図５】
2014046926.tif 000007
【図６】
2014046926.tif 000008